【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
１画面の映像信号と、前記１画面の映像信号の１画面前の映像信号との差を求める第１の減算手段と、
前記１画面の映像信号と、前記１画面の映像信号の１画面前の映像信号から１画面内の画像の動き量を検出する動き検出手段と、
前記動き量の大きさに応じて可変の減衰係数を生成する係数生成手段と、
前記第１の減算手段の出力信号に対して、前記減衰係数を乗ずる乗算手段と、
前記減衰係数を乗じた出力信号を、前記１画像面の映像信号から差し引く第２の減算手段とを具備し、
前記係数生成手段において、前記減衰係数は、前記動き検出手段によって検出された動き量が大きくなるほど小さくなるように定められ、かつ、
前記動き量の変化量に対する前記減衰係数の変化量の比の絶対値は、前記動き量の一部または全ての区間において、前記動き量が大きくなるほど小さくなるように定められる
ことを特徴とするノイズ除去装置。
【請求項２】
前記動き検出手段は、
前記１画面の映像信号について、動き検出の対象となる画素を、その中心又は該中心の近傍に含む領域内の画素の平均値を求める第１の周辺画素平均値算出手段と、
前記１画面の映像信号の１画面前の映像信号について、動き検出の対象となる画素を、その中心又は該中心の近傍に含む領域内の画素の平均値を求める第２の周辺画素平均値算出手段と、
前記第１の周辺画素平均値算出手段の出力と前記第２の周辺画素平均値算出手段の出力の差分を求める第３の減算手段を有する
ことを特徴とする請求項１に記載のノイズ除去装置。
【請求項３】
前記動き検出の対象となる画素を、その中心又は該中心の近傍に含む領域が、Ｎ×Ｎ画素（Ｎは２以上の整数）から成る領域であることを特徴とする請求項２に記載のノイズ除去装置。
【請求項４】
前記係数生成手段は、
前記動き量をＭとし、
前記減衰係数をＫとし、
予め定められた前記減衰係数の最大値をＫｍａｘとし、
予め定められた前記減衰係数の最小値をＫｍｉｎとし、
予め定められた静止画領域と判断する前記動き量の閾値をＡとし、
予め定められた動画領域と判断する前記動き量の閾値をＢとしたとき、次式
【数３】
2011029826.tif 000001
の関係を満たす前記減衰係数を生成することを特徴とする請求項１乃至３のいずれかに記載のノイズ除去装置。
【請求項５】
前記係数生成手段は、
前記動き量をＭとし、
前記減衰係数をＫとし、
予め定められた前記減衰係数の最大値をＫｍａｘとし、
予め定められた前記減衰係数の最小値をＫｍｉｎとし、
予め定められた前記動き量の最大値をＭｍａｘとしたとき、次式
【数４】
2011029826.tif 000002
の関係を満たす前記減衰係数を生成することを特徴とする請求項１乃至３のいずれかに記載のノイズ除去装置。
【請求項６】
輝度信号と色差信号を含む映像信号のノイズを除去するノイズ除去装置であって、
１画面の輝度信号と、前記１画面の輝度信号の１画面前の輝度信号との差を求める第１の輝度信号減算手段と、
前記１画面の輝度信号と、前記１画面の輝度信号の１画面前の輝度信号から１画面内の画像の動き量を検出する動き検出手段と、
前記動き量の大きさに応じて可変の輝度信号用減衰係数を生成する輝度信号用係数生成手段と、
前記第１の輝度信号減算手段の出力信号に対して、前記輝度信号用減衰係数を乗ずる輝度信号乗算手段と、
前記輝度信号用減衰係数を乗じた出力信号を、前記１画像面の輝度信号から差し引く第２の輝度信号減算手段と、
前記１画面の輝度信号と同じ１画面の色差信号と、前記１画面の色差信号の１画面前の色差信号との差を求める第１の色差信号減算手段と、
前記動き検出手段で検出された動き量の大きさに応じて可変の色差信号用減衰係数を生成する色差信号用係数生成手段と、
前記第１の色差信号減算手段の出力信号に対して、前記色差信号用減衰係数を乗ずる色差信号乗算手段と、
前記色差信号用減衰係数を乗じた出力信号を、前記１画像面の色差信号から差し引く第２の色差信号減算手段を具備し、
前記輝度信号用係数生成手段において、前記輝度信号用減衰係数は、前記動き検出手段によって検出された動き量が大きくなるほど小さくなるように定められ、かつ、
前記動き量の変化量に対する前記輝度信号用減衰係数の変化量の比の絶対値は、前記動き量の一部または全ての区間において、前記動き量が大きくなるほど小さくなるように定められ、
前記色差信号用係数生成手段において、前記色差信号用減衰係数は、前記動き検出手段によって検出された動き量が大きくなるほど小さくなるように定められ、かつ、
前記動き量の変化量に対する前記色差信号用減衰係数の変化量の比の絶対値は、前記動き量の一部または全ての区間において、前記動き量が大きくなるほど小さくなるように定められる
ことを特徴とするノイズ除去装置。
【請求項７】
前記動き検出手段は、
前記１画面の輝度信号について、動き検出の対象となる画素を、その中心又は該中心の近傍に含む領域内の画素の平均値を求める第１の周辺画素平均値算出手段と、
前記１画面の輝度信号の１画面前の映像信号について、動き検出の対象となる画素を、その中心又は該中心の近傍に含む領域内の画素の平均値を求める第２の周辺画素平均値算出手段と、
前記第１の周辺画素平均値算出手段の出力と前記第２の周辺画素平均値算出手段の出力の差分を求める第３の減算手段を有する
ことを特徴とする請求項６に記載のノイズ除去装置。
【請求項８】
前記動き検出の対象となる画素を、その中心又は該中心の近傍に含む領域が、Ｎ×Ｎ画素（Ｎは２以上の整数）から成る領域であることを特徴とする請求項７に記載のノイズ除去装置。
【請求項９】
前記色差信号用係数生成手段が生成する色差信号用減衰係数は、
前記輝度信号用係数生成手段が同じ動き量に対して生成する輝度信号用減衰係数よりも大きいことを特徴とする請求項６乃至８のいずれかに記載のノイズ除去装置。
【請求項１０】
前記輝度信号用係数生成手段は、
前記動き量をＭとし、
前記輝度信号用減衰係数をＫｙとし、
予め定められた前記輝度信号用減衰係数の最大値をＫｙｍａｘとし、
予め定められた前記輝度信号用減衰係数の最小値をＫｙｍｉｎとし、
予め定められた静止画領域と判断する前記動き量の閾値をＡとし、
予め定められた動画領域と判断する前記動き量の閾値をＢとしたとき、次式
【数５】
2011029826.tif 000003
の関係を満たす前記輝度信号用減衰係数を生成し、
前記色差信号用係数生成手段は、
前記動き量をＭとし、
前記色差信号用減衰係数をＫｃとし、
予め定められた前記色差信号用減衰係数の最大値をＫｃｍａｘとし、
予め定められた前記色差信号用減衰係数の最小値をＫｃｍｉｎとし、
予め定められた静止画領域と判断する前記動き量の閾値をＡとし、
予め定められた動画領域と判断する前記動き量の閾値をＢとしたとき、次式
【数６】
2011029826.tif 000004
の関係を満たす前記色差信号用減衰係数を生成する
ことを特徴とする請求項６乃至９のいずれかに記載のノイズ除去装置。
【請求項１１】
前記輝度信号用係数生成手段は、
前記動き量をＭとし、
前記輝度信号用減衰係数をＫｙとし、
予め定められた前記輝度信号用減衰係数の最大値をＫｙｍａｘとし、
予め定められた前記輝度信号用減衰係数の最小値をＫｙｍｉｎとし、
予め定められた前記動き量の最大値をＭｍａｘとしたとき、次式
【数７】
2011029826.tif 000005
の関係を満たす前記輝度信号用減衰係数を生成し、
前記色差信号用係数生成手段は、
前記動き量をＭとし、
前記色差信号用減衰係数をＫｃとし、
予め定められた前記色差信号用減衰係数の最大値をＫｃｍａｘとし、
予め定められた前記色差信号用減衰係数の最小値をＫｃｍｉｎとし、
予め定められた前記動き量の最大値をＭｍａｘとしたとき、次式
【数８】
2011029826.tif 000006
の関係を満たす前記色差信号用減衰係数を生成する
ことを特徴とする請求項６乃至９のいずれかに記載のノイズ除去装置。
【請求項１２】
前記輝度信号用減衰係数の最大値Ｋｙｍａｘ、前記輝度信号用減衰係数の最小値Ｋｙｍｉｎ、前記色差信号用減衰係数の最大値Ｋｃｍａｘ、及び前記色差信号用減衰係数の最小値Ｋｃｍｉｎは、
Ｋｙｍａｘ≦Ｋｃｍａｘ、Ｋｙｍｉｎ＜Ｋｃｍｉｎ
の関係を満たすことを特徴とする請求項１１に記載のノイズ除去装置。